(57)【要約】【課題】検電結果の確認を容易かつ確実に行う。【解決手段】検電本体(40)が伸縮式ロッド(20)の握持部(30)側に、プローブ(80)が他端側に設けら、プローブで活線状態が検知され、活線検知信号は送信部(50)を介して検電本体に送信される。検電本体には検電表示素子(44)とブザー(45)が設けられ、活線検知信号が得られると表示素子が発光（点灯若しくは点滅）する。同時にブザーが駆動される。表示素子は作業者の手元に位置しているので、表示素子の点灯状態を確実に確認できる。これにより被測定電線が活線状態にあるのか、死線状態にあるのかを伸縮式ロッドの長短や風力などに影響されることなく正確に把握できる。ブザーの振動が握持部に伝わり、視覚、聴覚、触覚から検電状態を把握できる。【選択図】図１
2008256533.tif 000002
【特許請求の範囲】
【請求項１】
一端部に握持部（３０）が設けられ、他端部に検電子（８０）が取り付けられた伸縮式ロッド（２０）と、
前記握持部側に設けられた検電本体（４０）と、
前記検電本体に設けられた検電表示用の発光素子（４４）と、
前記検電子側に設けられ、該検電子が接続される活線検知信号の送信部（５０）とから成り、
被測定電線の活線状態を前記検電子が検知したとき、前記活線検知信号に基づいて前記発光素子が発光するようにした、ことを特徴とする伸縮式検電器。
【請求項２】
前記送信部（５０）からの活線検知信号は無線若しくは有線送信か、光送信される、ことを特徴とする請求項１に記載の伸縮式検電器。
【請求項３】
一端部に握持部（３０）が設けられ、他端部に検電子（８０）が取り付けられた伸縮式ロッド（２０）と、
前記握持部側に設けられた検電本体（４０）と、
前記検電本体に設けられた検電表示用の発光素子（４４）と、
前記伸縮式ロッドの他端側に設けられた静電感応式風車（７０）とから成り、
前記静電感応式風車の回転状態を検出した回転検知信号が活線検知信号として前記検電本体に送信される、ことを特徴とする伸縮式検電器。
【発明の詳細な説明】
【技術分野】
【０００１】
本発明は伸縮式の検電器に関し、より詳細には、被測定電線の活線状態を検知したとき、握持部側に設けられた検電本体部の発光部を発光表示等させることで検電状態を確実に認識できる伸縮式検電器に関するものである。
【背景技術】
【０００２】
送電線や配電線の工事などを行う場合には、まず送電線などの高圧および特高用架線や低圧の配電線などが活線状態（充電状態）にあるのか、死線状態（停電状態）にあるのかを検知する必要がある。このような目的のために使用される検電器としては、例えば、特許文献１の「自動復帰型コヒーラ検電器」や特許文献２の「検電器」ような構成の装置が提案されている。
【０００３】
特許文献１の「自動復帰型コヒーラ検電器」も特許文献２の「検電器」も、プローブ（検電子）を電線に接近させるか接触させ、被測定電線が活線状態にあるときは、検電本体に設けた発光素子を点滅表示させたり、これと同時にブザーなどの音響素子を駆動することで、被測定電線の検電を行っている。このような検電器は主として低圧電線の検電用として使用され、プローブは短く固定式である場合が多い。
【０００４】
これに対し高圧電線用の検電器としては、非特許文献１、非特許文献２、非特許文献３に示すような伸縮式の検電器が主に使用される。
非特許文献１および非特許文献２の検電器は、何れもプローブが検電本体に対して伸縮自在となっており、伸張時には数メートル（２〜５ｍ程度）までプローブが延びるようになっている。そのため送電線工事のようなときにでも、作業員が鉄塔に登り送電線の間近にまで近づかなくとも、張架された高圧送電線の活線状態を調べることができる。被測定電線が活線状態であれば、検電本体に設けられた表示素子が点灯（点滅）したり内蔵ブザーが駆動されることで、検電結果を視覚的および聴覚的に知ることができる。また非特許文献３には、プローブ側に風車を取り付け、被測定電線が活線状態にあるとき、誘起された静電電荷を利用して風車を回転させる構成が開示されている。この場合には表示素子などは不要である。
【特許文献１】特開２００２−２２１５４２号公報
【特許文献２】特開２００２−２５７８７０号公報
【非特許文献１】長谷川電機工業社製高圧検電器（ＨＳＳ−６）
【非特許文献２】ジェフコム社製高低圧検電器（ＳＥＣ−７０００Ｌ）
【非特許文献３】長谷川電機工業社製高圧特高検電器（風車式  ＷＭ型）
【発明の開示】
【発明が解決しようとする課題】
【０００５】
ところで、特許文献１や特許文献２に開示された検電器では、何れも検電本体に対してプローブが固定されているか極めて短いために、送電線などの活線状態を検電することができない。
【０００６】
また非特許文献１や非特許文献２に開示された検電器では、ロッドの一端部が作業員用の握持部をなし、その他端部である先端部に検電本体が取り付けられ、更にこの検電本体の先にプローブが取り付けられている場合が多い。そのため、太陽光が降り注ぐ昼間にプローブを最大限まで延ばして検電を行っているようなときには、検電本体に設けられている表示素子が発光（点灯若しくは点滅）しているかどうかを確実に視認できないという問題を有していた。特に、視線と検電本体との延長線上に太陽が位置しているようなときなどには、発光状態を正確に確認することは容易ではなかった。
【０００７】
また検電本体には、表示素子の他にブザーなどの報知手段が取り付けられている場合も多いが、鉄塔の上では風の流れや周囲の騒音に邪魔されて、ブザー音を正確に確認することが難しい場合もある。そのため検電の確認作業に手間取るおそれがあるという問題を有していた。
【０００８】
また非特許文献３のように風車を利用する場合には、上述の場合と同じくプローブを最大限まで延ばして検電を行っているような状況下では、風車の回転認知に手間取ることがあった。また風が吹いていると、風向きによっては風車が風によって回転させられてしまうこともあり、その見極めが大変であるという問題を有していた。
【０００９】
本発明はかかる問題点を解決するために創案されたものである。すなわち本発明の目的は、プローブを伸縮自在に構成すると共に、伸縮式ロッドの握持部側に検電表示素子を設けることで、検電結果の認識を容易かつ確実に行うことができる伸縮式検電器を提供することにある。
【課題を解決するための手段】
【００１０】
本発明は、一端部に握持部（３０）が設けられ、他端部に検電子（８０）が取り付けられた伸縮式ロッド（２０）と、前記握持部側に設けられた検電本体（４０）と、前記検電本体に設けられた検電表示用の発光素子（４４）と、前記検電子側に設けられ、該検電子が接続される活線検知信号の送信部（５０）とから成り、被測定電線の活線状態を前記検電子が検知したとき、前記活線検知信号に基づいて前記発光素子が発光するようにした、ことを特徴とする伸縮式検電器を提供する。
【００１１】
ここで前記送信部（５０）からの活線検知信号は、無線若しくは有線送信か、光送信することが好ましい。
【００１２】
また本発明は、一端部に握持部（３０）が設けられ、他端部に検電子（８０）が取り付けられた伸縮式ロッド（２０）と、前記握持部（３０）側に設けられた検電本体（４０）と、前記検電本体（４０）に設けられた検電表示用の発光素子（４４）と、前記伸縮式ロッド（２０）の他端側に設けられた静電感応式風車（７０）とから成り、前記静電感応式風車の回転状態を検出した回転検知信号は活線検知信号として前記検電本体に送信される。
【発明の効果】
【００１３】
本発明では、検電本体は伸縮自在なロッド（伸縮式ロッド）の一端側（握持部側）に設けられ、その他端側にプローブが取り付けられる。プローブに誘起された静電電圧に基づいて得られる活線検知信号は、有線や無線などを利用して検電本体に送信される。検電本体には発光素子である表示素子および好ましくは報知素子（振動子やブザーなど）が設けられ、活線検知信号が得られると、作業者の手元側で表示素子が発光（点灯若しくは点滅）する。表示素子の発光色は、発光状態を視認し易い色（赤色）が好適である。また同時に報知素子を駆動してやれば、その振動等が握持部に伝わることで、視覚、聴覚、触覚から検電状態を把握するこができる。
このように表示素子や報知素子を作業者の手元（握持部側）に位置させることで、表示素子の点灯状態を確実に確認でき、被測定電線が活線状態にあるのか、死線状態にあるのかを正確に把握できる。
【００１４】
プローブと伸縮式ロッドとの間に風車が設けられている場合には、プローブが被測定電線からの静電電荷を検知することで静電感応式風車が回転する。静電感応式風車の回転はセンサによって検知され、検知された回転検知信号は活線検知信号として検電本体に送られる。この場合も作業者の手元側で検電表示されるので、被測定電線の活線状態を、周囲の環境に影響されることなく確実かつ容易に把握できる。なお活線検知信号は有線若しくは無線伝送されるか光伝送（赤外線伝送など）されて、検電本体で活線検知信号が受信される。
【００１５】
このように本発明の伸縮式検電器では、検電結果を作業者の手元側で表示しているので、検電状態の把握は、伸縮式ロッドの長短や風力などに影響されない。つまり伸縮式ロッドを最大限まで延ばして検電しても、接近安全距離を確保しつつ、縮めた状態で検電していても被測定電線の活線状態を、周囲の環境に影響されることなく確実かつ容易に把握できる。
【発明を実施するための最良の形態】
【００１６】
本発明の伸縮式検電器は、送電線などの高圧および特高用架線や低圧の配電線などの被測定電線の活線状態を検知したとき、握持部側に設けられた検電本体部の発光部等を発光表示等させることにより検電状態を認識するための器具である。
【実施例１】
【００１７】
以下、本発明の好ましい実施の形態を図面を参照して説明する。
図１は実施例１の伸縮式検電器の要部の外観図であり、伸縮式ロッドを伸張させた使用状態を示す正面図である。図２は伸縮式ロッドを縮めた状態を示す正面図である。図１の状態は、鉄塔に架張された送電線などの活線状態を検知する場合の使用態様であり、低圧配電線などの被測定電線の活線状態を検知する場合には、接近安全距離を確保した上で縮めた状態で使用されることもある。
【００１８】
図１に示す伸縮式検電器１０は、伸縮式ロッド２０と、この伸縮式ロッドの一端部側に設けられた検電本体４０と、伸縮式ロッドの他端側に設けられたプローブ８０とを少なくとも有している。
【００１９】
伸縮式ロッド２０は多段構成であり、外竿２０Ａと、この外竿２０Ａに収められた内竿２０Ｂとで構成されている。外竿２０Ａの長さは任意であるが、作業時の取り扱いなどを考慮すると１．０〜１．５ｍ程度が好ましい。内竿２０Ｂの長さは、１．０〜１．５ｍ以下の長さであって、複数の内竿で構成する場合には、全長を４ｍ以上にすることが可能となる。鉄塔に架張された高圧送電線（特高送電線を含む。）の活線状態を検知する場合でも、この程度の長さがあれば充分である。
なお伸縮式ロッド２０は、軽量で曲がりにくく、強靱な非導電性素材（プラスチック強化材など）を用いて成形される。
【００２０】
伸縮式ロッド２０の一端側（始端側）には握持部３０が設けられている。握持部３０は作業者用の取っ手であって、伸縮式ロッド２０を操作するときに使用される。握持部３０は伸縮式ロッド２０を安定に保持するため、この例では上部握持部３０Ａと下部握持部３０Ｂとが離間して設けられ、その中間部に検電本体４０が設けられる。握持部３０は外竿２０Ａの始端そのものを利用することもできる。
【００２１】
検電本体４０は、被測定電線が活線状態にあるとき、その被測定電線が活線状態であることを報知するための手段であって、活線検知信号の受信部の他にこの例では発光素子としての表示素子４４、報知素子としてのブザー４５および電源スイッチ４７を有している。
【００２２】
伸縮式ロッド２０の他端部（先端部）には、検電子としてのプローブ８０が設けられる。また伸縮式ロッド２０の他端部であって、プローブ８０の末端部には、活線検知信号の送信部５０が取り付けられている。プローブ８０と送信部５０とは電気的に接続されている。
【００２３】
外竿２０Ａの先端部には留め具９２が取り付けられ、下部握持部３０Ｂの下端部にも留め具９４が取り付けられており、これら留め具９２，９４を用いて背負いバンド９０が伸縮式ロッド２０の両端に取り付けることができるようになっている。
なお検電作業は、背負いバンド９０を作業者の背にかけた状態で行われる。背負いバンド９０を使用することで、鉄塔などの作業現場（検電場所）であっても、この伸縮式検電器１０を安全確実に持ち運ぶことができる。検電作業を行う前に、伸縮式検電器１０が正常に作動するかを事前確認する必要があることは言うまでもない。
【００２４】
図３は送信部の一例を示すブロック図である。また図４は検電本体の一例を示すブロック図である。この図では送信部５０で生成された活線検知信号を無線によって検電本体４０に伝送する例を示している。
【００２５】
プローブ８０は高抵抗５２（ＨＲ）を介して活線検知部５４に接続されている。プローブ８０に誘導電流が誘起されるとこれに伴って、活線検知部５４では活線検知信号が生成される。この活線検知信号は送信部５６に供給され、伝送に適した信号形態に変換された後、アンテナ５８に給電されて外部に送信される。なお活線検知信号の伝搬長は伸縮式ロッド２０の長さ程度であるから、極めて微弱な送信電力で賄うことができる。したがって送信部用電源５９には、ボタン電池など小型の電池を採用することができる。
【００２６】
図４に示す検電本体４０では、アンテナ４１を経由した活線検知信号は、活線受信部４２で受信され、受信信号は駆動部４３に導かれる。駆動部４３は発光素子である表示素子４４に表示信号を印加し、報知素子４５にその駆動信号を印加する。表示素子４４としては赤色などを発光する発光ダイオード（ＬＥＤ）が使用され、報知素子４５としてはブザーが使用される。電池などが使用されている電源４６近傍には電源スイッチ４７が設けられ、検電作業時のみ動作状態となるように制御される。
【００２７】
活線検知信号が受信されると、表示素子４４に表示電流が流れるためこれが点灯する。またブザー４５も駆動される。表示素子４４が点灯し、ブザー４５が駆動されることで、被測定電線は活線状態にあることが判るので、作業を中止するなどの対応が取られる。表示素子４４が点灯したりブザー４５が駆動されることがなければ死線状態の確認ができ、安全に作業に取り掛かることができる。
【００２８】
なお表示素子４４は常時点灯ではなく、点滅による表示でもよい。ブザー４５の代わりに振動子を使用してもよい。振動子によれば、握持部３０を介して作業者の手に振動が伝わるため触覚的に活線状態を認識することができる。なお活線信号が受信されたときに、表示素子が点灯状態から点滅状態や消灯状態となったり、ブザーが駆動状態から停止状態になるようにしてやることもできる。
【００２９】
このように本発明の伸縮式検電器１０によれば、表示素子４４が作業者の手元に位置しているので、その点灯状態を確実に確認でき、被測定電線が活線状態にあるのか死線状態にあるのかを正確に把握できる。またブザー４５（振動子）を駆動することで、その音や振動が握持部３０に伝わり、視覚、聴覚、触覚から検電状態を把握できる。なお検電本体４０は、伸縮式ロッド２０の握持部３０側であればその取り付け位置は特に制限されない。
【実施例２】
【００３０】
実施例１では、送信部５０を設け、誘導電流から活線検知信号を生成し、これを検電本体４０に伝送して検電本体４０側の表示素子４４を点灯制御することで活線状態を検電できるようにしたが、静電感応式風車の回転を活線検知信号生成のための手段として活用することもできる。
【００３１】
本実施例の伸縮式検電器は、図５に示すように、伸縮式ロッド２０の他端部（先端部）に、支持棒６０に支持された静電感応式風車７０を取り付け固定すると共に、図６に示す静電感応式風車７０の先端部にプローブ８０を取り付けたものである。
【００３２】
静電感応式風車７０のフレーム７４には第１のセンサ７６ａが取り付けられ、一方羽根７２には第２のセンサ７６ｂが取り付けられる。これら一対のセンサ７６ａ，７６ｂにより羽根７２の回転が検知される。回転検知信号はパルス信号であり、これが活線検知信号として利用される。
【００３３】
活線検知信号は検電本体４０に送られる。その伝送形態は無線若しくは有線伝送あるいは光伝送（例えば赤外線伝送）などが考えられる。無線伝送の場合には、静電感応式風車７０側に図１と同様な送信部が設けられる。有線伝送の場合には、図４に示す活線受信部４２に直接活線検知信号が供給される。赤外線などによる光伝送の場合には、送信部が光伝送用送信部となり、検電本体４０に光受信部が設けられ、この光受信部で電気信号に変換されてから活線受信部４２に供給されることになる。その他の構成は、図１と同様である。
【００３４】
活線検知信号が受信されると、表示素子４４に表示電流が流れるためこれが点灯する。またブザー４５も駆動される。表示素子４４が点灯しブザー４５が駆動されることで、静電感応式風車７０の回転認知に加えて、被測定電線の活線状態を視覚、聴覚等によって認識できる。
【００３５】
本実施例の場合にも、表示素子４４は作業者の手元に位置しているので、表示素子４４の点灯状態を確実に確認でき、被測定電線が活線状態にあるのか死線状態にあるのかを正確に把握できる。またブザー４５（振動式）を駆動してやれば、その振動が握持部３０に伝わり、視覚、聴覚、触覚から検電状態を確実に把握することができる。検電結果を作業者の手元側で表示しているので、検電状態の把握は、伸縮式ロッドの長短などには影響されない。つまり伸縮式ロッドを最大限まで延ばして検電しても、最短状態で検電していても被測定電線の活線状態を、周囲の環境に影響されることなく確実かつ容易に把握できる。
【００３６】
なお本発明は、プローブを伸縮自在に構成すると共に、伸縮式ロッドの握持部側に検電表示素子を設けることで、検電結果の視認を容易かつ確実に行うことができるものであれば、上述した発明の実施の形態に限定されず、本発明の要旨を逸脱しない範囲で種々変更できることは勿論である。
【図面の簡単な説明】
【００３７】
【図１】本発明の実施例１の伸縮式検電器を示す要部の構成図であって、伸縮式ロッドを延ばした状態を示す図である。
【図２】伸縮式ロッドを縮めた状態を示す図１と同様な図である。
【図３】送信部の一例を示すブロック図である。
【図４】検電本体の一例を示すブロック図である。
【図５】実施例２の伸縮式検電器を示す構成図である。
【図６】実施例２の静電感応式風車を示す構成図である。
【符号の説明】
【００３８】
１０  伸縮式検電器
２０  伸縮式ロッド
２０Ａ  外竿
２０Ｂ  内竿
３０  握持部
４０  検電本体
５０  送信部
７０  静電感応式風車
８０  検電子（プローブ）
９０  背負いバンド
４４  発光素子（表示素子）
４５  報知素子（ブザー）
【図１】
2008256533.tif 000003
【図２】
2008256533.tif 000004
【図３】
2008256533.tif 000005
【図４】
2008256533.tif 000006
【図５】
2008256533.tif 000007
【図６】
2008256533.tif 000008